(57)【要約】【課題】隣接するパネル材と確実且つ容易に嵌合して離脱せず、抗菌鋼板製で食品工場に適した嵌合式内装パネル材を提供する。【解決手段】パネル材ａの他側方の端縁部５を、裏面部３方向に所定角度で折曲した第１側端部６の端部を板体１と平行に折曲せしめて第１水平状部７を夫々延設し、第１水平状部７の端部を上方向に折曲して立上り部８を、その上方部を第１側端部６方向に折曲して傾斜し膨出するストッパー部９を、その端縁部を外側方向に折曲して板体１の高さと同一の第１水平状部１０を、その端縁部を下方向に折曲して第１側端部６と平行状の第２側端部１１を、その端縁部を折曲延設して第１水平状部１０と平行する第２水平状部１２を折曲延設し、その端部を上方向に折曲延設して補強部１３を形成した。【選択図】     図１
0003217046.tif 000002
【実用新案登録請求の範囲】
【請求項１】
抗菌鋼板製の嵌合式内装パネル材において、
前記パネル材を構成する板体の一側方の端縁部を、前記板体の裏面部方向に所定の角度で折曲する垂直状係止部と傾斜状係止部からなる引掛け係止部を形成せしめ、
前記パネル材の他側方の端縁部を、前記板体の裏面部方向に所定の角度で折曲せしめて第１側端部を、前記第１側端部の端部を前記板体と平行に折曲せしめて第１水平状部を夫々延設し、且つ前記第１水平状部の端部を上方向に折曲して立上り部を、前記立上り部の上方部を前記第１側端部の方向に折曲せしめて傾斜し且つ膨出するストッパー部を、前記ストッパー部の端縁部を外側方向に折曲して前記板体の高さと同一の第１水平状部を、前記第１水平状部の端縁部を下方向に折曲せしめて前記第１側端部と平行状の第２側端部を、前記第２側端部の端縁部を折曲延設せしめて前記第１水平状部と平行する第２水平状部を折曲延設せしめ、前記第２水平状部の端部を上方向に折曲延設して補強部を夫々形成せしめて成ることを特徴とする嵌合式内装パネル材。
【請求項２】
前記引掛け係止部が、前記板体の端縁部を、下方に垂直状に折曲せしめて垂直状係止部を、前記垂直状係止部の端部を前記板体の裏面部方向に傾斜状に折曲して傾斜状係止部を形成せしめて成ることを特徴とする、請求項１に記載の嵌合式内装パネル材。
【請求項３】
前記引掛け係止部の垂直状係止部の長さが、前記第１側端部の長さと同一で折曲形成せしめられていることを特徴とする、請求項１又は２に記載の嵌合式内装パネル材。
【請求項４】
前記引掛け係止部の傾斜状係止部の端縁部が、折曲されて補強折曲部に形成せしめて成ることを特徴とする、請求項１又は２又は３に記載の嵌合式内装パネル材。
【請求項５】
前記垂直状係止部と前記傾斜状係止部とからなる引掛け係止部は、前記第１側端部と前記第１水平状部と前記立上り部と前記ストッパー部とからなる嵌挿凹部内に嵌合すると、前記引掛け係止部を構成する傾斜状係止部が、前記ストッパー部によって係止せしめられ離脱できない形状にて形成せしめられていることを特徴とする、請求項１又は２又は３又は４に記載の嵌合式内装パネル材。
【請求項６】
前記パネル材を構成する板体が、前記一側方の端縁部及び他側方の端縁部と平行の細波形状にて形成せしめられていることを特徴とする、請求項１又は２又は３又は４又は５に記載の嵌合式内装パネル材。
【考案の詳細な説明】
【技術分野】
【０００１】
本考案は、抗菌鋼板製にして且つ食品工場内の内装パネル材として使用される嵌合式内装パネル材の技術分野に関するものである。
【背景技術】
【０００２】
従来、嵌合式内装パネル材として、パネル材の連結構造に関する下記特許文献１（特開２０００−２６５６４４公報）が公知である。
【０００３】
特許文献１にかかるパネル材の連結構造のパネル材は、同文献１に記載の符号を援用すると、パネル材１１を構成するパネル材１１の一方向の対向する辺を裏面方向に折曲した各側端片１３と、各側端片１３、１３の先端を外方向に折曲して同一の背面をなす等幅の各固定片１５、１５と、各固定片１５、１５の何れか一方の先端を側端片１３と平行となるように折曲した移動規制片１９とを具備したパネル材１１が形成されている。
【０００４】
そして、前記パネル材１１は、パネル材１１を複数隣接し、側端片１３と移動規制片１９との間に他のパネル材１１の固定片１５を挿入して、移動規制片１９に他のパネル材１１の側端片１３を重ね合わせるとともに、それぞれの固定片１５を重ね合せ、固定片１５、１５同士を共に下地面１７ａに固定する組立て方式である。
【０００５】
また、特許文献１に記載されているパネル材は、重ね合わされて形成の目地部２５に対し、別設する装着部材２７を嵌挿せしめ、嵌挿せしめた目地部２５を別設する固定部材３１を介して螺着し、且つ別設する目地カバー２９（図２、３参照）を装着せしめ組立て施工すると云う複数の部材を介し、且つ丁寧な連結構造をしている。
【先行技術文献】
【特許文献】
【０００６】
【特許文献１】特開２０００−２６５６４４公報
【考案の概要】
【考案が解決しようとする課題】
【０００７】
前記した特許文献１に記載のパネル材の連結構造をしたパネル材は、パネル材を複数隣接し、各パネル材の側端片１３と移動規制片１９との間に、他のパネル材１１の側端片１３を重ね合せ、夫々のパネル材１１の固定片１５を重ね合わせ、各固定片１５、１５を共に下地面１７ａに固定するものであって、複数枚のパネル材１１を連続して取付ける手段として重ね合せられて形成せしめられた凹溝状の目地部２５内に、弾性を有した装着部材２７を釘状の固定部材３１を打ち込んで前記した隣接のパネル材１１を固定し、前記装着部材２７を目地カバー２９にて覆うように施工せしめたことを特長とする発明である。
【０００８】
従って、そのパネル材の連結構造をしたパネル材１１は、施工時において多数の構成部材を必要とし、さらに施工するのに多数の施工工程を必要とし、そのため施工工事費が昂騰せざるを得ないという問題がある。
【０００９】
しかるに、本考案の抗菌鋼板製の嵌合式内装パネル材は、パネル材を構成する板体の一側方の端縁部に折曲状の引掛け係止部を形成せしめ、且つ前記板体１の他側方の端縁部に、折曲し形成せしめた第１側端部と、第１水平状部と、立上り部と、前記一側方の端縁部に形成の引掛け係止部を係止せしめる膨出するストッパー部と、さらに第１水平状部と、且つ第２側端部と、第２水平状部を順次折曲せしめ延設する構造とし、以上のように構成の嵌合式パネルを並列状に隣接せしめると共に、隣接し合う嵌合式内装パネル材を重ね合せると、前記パネル材の一側方の端縁部が、並列状に隣接する他側方の端縁部に形成せしめられている第１側端部と第１水平状部と立上り部とストッパー部との間に形成せしめられた嵌挿凹部Ｐ内に、隣接する内装パネル材の引掛け係止部４が嵌合し、嵌合すると膨出状のストッパー部９によって引掛り係止し容易に離脱が阻止される構造として、隣接する各パネルを固定材を打込んだりすることなく嵌合施工が極めて簡単且つ迅速にて行うことができるようにして課題を解決した。
【００１０】
また、本考案は、前述した各内装パネル材の一側方の端縁部に折曲形成せしめる引掛け係止部と、他側方の端縁部に折曲形成せしめる前記した各構成部を構成することによって、並列する各内装パネル材同士が嵌合施工せしめ、嵌合施工によって工事費を著しく節減ができるようにした。
【課題を解決するための手段】
【００１１】
上記課題を解決するための手段として、請求項１に記載の考案は、抗菌鋼板製の嵌合式内装パネル材ａにおいて、
前記パネル材ａを構成する板体１の一側方の端縁部２を、前記板体１の裏面部３方向に所定の角度で折曲する垂直状係止部４ａと傾斜状係止部４ｃからなる引掛け係止部４を形成せしめ、
前記パネル材ａの他側方の端縁部５を、前記板体１の裏面部３方向に所定の角度で折曲せしめて第１側端部６を、前記第１側端部６の端部を前記板体１と平行に折曲せしめて第１水平状部７を夫々延設し、且つ前記第１水平状部７の端部を上方向に折曲して立上り部８を、前記立上り部８の上方部を前記第１側端部６の方向に折曲せしめて傾斜し且つ膨出するストッパー部９を、前記ストッパー部９の端縁部を外側方向に折曲して前記板体１の高さと同一の第１水平状部１０を、前記第１水平状部１０の端縁部を下方向に折曲せしめて前記第１側端部６と平行状の第２側端部１１を、前記第２側端部１１の端縁部を折曲延設せしめて前記第１水平状部１０と平行する第２水平状部１２を折曲延設せしめ、前記第２水平状部１２の端部を上方向に折曲延設して補強部１３を夫々形成せしめて成ることを特徴とする嵌合式内装パネル材である。
【００１２】
請求項２に記載の考案は、前記引掛け係止部４が、前記板体１の端縁部２を、下方に垂直状に折曲せしめて垂直状係止部４ａを、前記垂直状係止部４ａの端部４ｂを前記板体１の裏面部３方向に傾斜状に折曲して傾斜状係止部４ｃを形成せしめて成ることを特徴とする請求項１に記載の嵌合式内装パネル材である。  
【００１３】
請求項３に記載の考案は、前記引掛け係止部４の垂直状係止部４ａの長さを、前記第１側端部６の長さと同一で折曲形成せしめられていることを特徴とする請求項１又は２に記載の嵌合式内装パネル材である。
【００１４】
請求項４に記載の考案は、前記引掛け係止部４の傾斜状係止部４ｃの端縁部が、折曲されて補強折曲部４ｄを形成せしめて成ることを特徴とする請求項１又は２又は３に記載の嵌合式内装パネル材である。
【００１５】
請求項５に記載の考案は、前記垂直状係止部４ａと前記傾斜状係止部４ｃとからなる引掛け係止部４は、前記第１側端部６と前記第１水平状部７と前記立上り部８と前記ストッパー部９とからなる嵌挿凹部Ｐ内に嵌合すると、前記引掛け係止部４を構成する傾斜状係止部４ｃが、前記ストッパー部９によって係止せしめられ離脱できない形状にて形成せしめられていることを特徴とする請求項１又は２又は３又は４に記載の嵌合式内装パネル材である。
【００１６】
請求項６に記載の考案は、前記パネル材ａを構成する板体１が、前記一側方の端縁部２及び他側方の端縁部５と平行の細波形状にて形成せしめられていることを特徴とする請求項１又は２又は３又は４又は５に記載の嵌合式内装パネル材である。
【考案の効果】
【００１７】
本考案の嵌合式内装パネル材は、パネル材を構成する板体の一側方の端縁部を、前記板体の裏面部方向に所定の角度で折曲する垂直状係止部と傾斜状係止部からなる引掛け係止部を形成せしめ、前記パネル材の他側方の端縁部を、前記板体の裏面部方向に所定の角度で折曲せしめて第１側端部を、前記第１側端部の端部を前記板体と平行に折曲せしめて第１水平状部を夫々延設し、且つ前記第１水平状部の端部を上方向に折曲して立上り部を、前記立上り部の上方部を前記第１側端部の方向に折曲せしめて傾斜し且つ膨出するストッパー部を、前記ストッパー部の端縁部を外側方向に折曲して前記板体の高さと同一の第１水平状部を、前記第１水平状部の端縁部を下方向に折曲せしめて前記第１側端部と平行状の第２側端部を、前記第２側端部の端縁部を折曲延設せしめて前記第１水平状部と平行する第２水平状部を折曲延設せしめ、前記第２水平状部の端部を上方向に折曲延設して補強部を夫々形成せしめる嵌合式内装パネル材なので、前記嵌合式内装パネル材が、食品工場内の間仕切り壁の内装材として並列状に隣接せしめられると、各内装パネル材の一側方の端縁部に形成の引掛け係止部が、並列状に隣接する別設の内装パネル材の他側方の端縁部に折曲形成せしめられた嵌め込み部内に確実且つ容易に嵌合し、離脱することがない利点がある。
【００１８】
また、各パネル材の両側方の端縁部に折曲せしめられた引掛け係止部と嵌め込み部とを嵌合するだけの接続施工方式なので、嵌合部分を被覆するための構成部材を全く必要とせず、そのため食品工場内の間仕切り壁の施工工事費を著しく節減できる。
【００１９】
さらに、一旦嵌合せしめられると、嵌合部分が水密性に優れ、且つ嵌合部分の目地に埃や虫類が侵入することなく、水切れの点も極めて良好にして、施工も極めて簡単且つ迅速に施工ができ、さらに施工工事費を従来のものに対し著しく節減できる利点がある。
【００２０】
加えて、考案の前記のように施工された嵌合式内装パネル材は、水洗いも極めて容易のため、水洗い作業が迅速に処理できるし、スケッチサイズで対応可能な優れた利点を多数併有している。
【図面の簡単な説明】
【００２１】
【図１】本考案の嵌合式内装パネル材を重ね合せ嵌合せしめた嵌合式内装パネル材の斜視図である。
【００２２】
【図２】同嵌合式内装パネル材の正面図である。
【００２３】
【図３】同嵌合式内装パネル材を重ね合せ嵌合せしめた状態の一部切欠正面図である。
【００２４】
【図４】同図３における各嵌合式内装パネル材の各端部を重ね合せ嵌合せしめた際の一部切欠拡大正面図である。
【００２５】
【図５】同嵌合式内装パネル材を構成する一側端部の一部切欠拡大正面図である。
【００２６】
【図６】同本考案の第２実施例の嵌合式内装パネル材を重ね合せ嵌合せしめた斜視図である。
【００２７】
【図７】図６における単体の嵌合式内装パネル材の正面図である。
【００２８】
【図８】図３における各嵌合式内装パネル材の裏面に断熱材を接着せしめた状態の嵌合式内装パネル材と断熱材との関係を示す一部切欠正面図である。
【００２９】
【図９】本考案の嵌合式内装パネル材（単体）の裏面部に接着せしめた状態の断熱材とパネル材との関係を示す正面図である。
【００３０】
【図１０】本考案の嵌合式内装パネル材を間仕切り壁として施工せしめた食品工場内の一部切欠横断面図である。
【００３１】
【図１１】本考案の嵌合式内装パネル材が施工せしめられた図１０の間仕切り壁の一部切欠斜視図である。
【考案を実施するための最良の形態】
【００３２】
本考案における請求項１〜６に記載の考案の実施の形態は、共通しているので一括して説明する。
【００３３】
図において、符号ａは、抗菌鋼板製の嵌合式内装パネル材（以下「内装パネル材」と云う。）を示しており、以下の構成からなっている。
【００３４】
＜第１実施例＞
第１実施例の内装パネル材ａにつき説明する。
【００３５】
図１、２、３、４、５に示すとおり、前記内装パネル材ａを構成する板体１の一側方の端縁部２は、前記端縁部２を前記板体１の裏面部３方向に直角状に所定の長さだけ折曲して垂直状係止部４ａを形成し、さらに前記垂直状係止部４ａの端部４ｂを、前記板体１の裏面部３の方向に所定の角度、例えば４５度傾斜状に折曲延設せしめて傾斜状係止部４ｃを形成せしめる。
【００３６】
そして、前記傾斜状係止部４ｃの端縁部を前記傾斜状係止部４ｃの内側面に折曲して密着する補強折曲部４ｄを形成する。
【００３７】
以上が引掛け係止部４の構成である。
【００３８】
つぎに、本考案の内装パネル材ａは、前記内装パネル材ａの他側方の端縁部を、前記板体１の裏面部３方向に所定の角度、例えば直角状に折曲せしめて第１側端部６を、前記第１側端部６の端部を前記板体１と平行に折曲せしめて第１水平状部７を夫々延設する。そして前記第１水平状部７の端部を上方向に折曲して立上り部８を、前記立上り部８の上方部を前記第１側端部６の方向に折曲せしめて傾斜し且つ膨出するストッパー部９を形成する。さらに前記ストッパー部９の端縁部を外側方向に折曲して前記板体１の高さと同一の第１水平状部１０を、前記第１水平状部１０の端縁部を下方向に折曲せしめて前記第１側端部６と平行状の第２側端部１１を形成する。また前記第２側端部１１の端縁部を折曲延設せしめて前記第１水平状部１０と平行する第２水平状部１２を折曲延設せしめ、前記第２水平状部１２の端部を上方向に折曲延設して補強部１３を夫々形成せしめる。
【００３９】
前記引掛け係止部４の垂直状係止部４ａの長さは、前記第１側端部６の長さと同一長さにて折曲形成せしめられている。
【００４０】
さらに、前記垂直状係止部４ａと前記傾斜状係止部４ｃとからなる引掛け係止部４は、前記第１側端部６と前記第１水平状部７と前記立上り部８と前記ストッパー部９とからなる嵌挿凹部Ｐ内に嵌合すると、前記引掛け係止部４を構成する傾斜状係止部４ｃが、前記ストッパー部９によって係止せしめられ離脱できない形状にて形成せしめられている。
【００４１】
＜第２実施例＞
本考案における第２実施例の内装パネル材ａは、図６及び図７に図示されているとおり、前記内装パネル材ａを構成する板体１が、前記一側方の端縁部２及び他側方の端縁部５と平行の細波形状にて形成せしめられている。
【００４２】
そして、前記第２実施例の内装パネル材ａの細波形状の凹状部と凸状部は、交互に連続して形成せしめられているが、これら凹状部及び凸状部の形状は、図面図示の形状に限定しない。
【００４３】
さらに第２実施例の内装パネル材ａと前記した第１実施例の内装パネル材ａとの構造上の相違点は、板体１が平面状か、凹状部と凸状部が交互に連続して形成されている、いわゆる細波形状かであって、各内装パネル材ａを構成する一側方の端縁部２と他側方の端縁部５の構造は、全く同じである。
【００４４】
従って、第２実施例の内装パネル材ａの両側端縁部２、５に関する具体的説明は省略した。
【００４５】
＜第１実施例の内装パネル材ａの組立て状態に関する説明（図１０）＞
図１０は、内装パネル材ａを間仕切り壁として使用した際の一部切欠拡大横断面を示すものである。
【００４６】
同図１０において、符号１４は、本考案の内装パネル材ａが、例えば食品工場内の間仕切り壁として使用される縦胴縁を示している。符号１５、１６は石膏ボード、１７は入隅役物、１８は出隅役物、１９はキャップ受け、２０はキャップ、ｂは内装パネル材ａと前記石膏ボード１５、１６との間に介在し使用されている断熱材である。２１は前記縦胴縁１４に対し前記入隅役物１７、出隅役物１８及び内装パネル材ａ等を固着せしめるための止め具である。
【００４７】
＜内装パネル材の嵌合方法＞
本考案の嵌合式内装パネル材ａが、食品工場内の所定位置に間仕切り壁の内装パネル材ａとして施工するには以下のようにして実施される。
【００４８】
その実施の一例として、図１０に図示されているように、前記内装パネル材ａを嵌合し接続施工する前に、前記縦胴縁１４を強固に固着せしめ、該縦胴縁１４に石膏ボード１５、１６及び入隅役物１７、出隅役物１８、キャップ受け１９を止め具２１を打ち込んで、前記した石膏ボード１５、１６、入隅役物１７、出隅役物１８及びキャップ受け１９を固定する。
【００４９】
上述の如く、前記止め具２１によって固着せしめられた前記石膏ボード１５、１６の表面部に前記内装パネル材ａを前記内装パネル材ａの裏面部に所定の寸法に裁断せしめられた断熱材ｂを介在せしめ、且つ止め具２１を、前記内装パネル材ａの他側方の端縁部５に折曲し形成せしめられた第２水平状部１２から、前記縦胴縁１４に対し打込み、前記内装パネル材ａを前記止め具２１により固着する。
【００５０】
前記のようにして、前記入隅役物１７もしくは出隅役物１８と隣接して並列せしめた前記内装パネル材ａを固着する。
【００５１】
つぎに、前記のようにして固着せしめられた前記内装パネル材ａに対し、別設する断熱材ｂが裏面部３に介在する別設の内装パネル材ａを重ね合せ嵌合すると、前記内装パネル材ａの一側方の端縁部２に折曲形成する引掛け係止部４の傾斜状係止部４ｃが、前記内装パネル材ａの他側方の端縁部５に折曲して形成せしめられている嵌挿凹部Ｐ内に嵌合する。そして前記傾斜状係止部４ｃが、膨出しているストッパー部９に引掛り係止した状態で容易に離脱することなく、確実に嵌合される（図１、３、４、６、８、１０）。
【００５２】
従って、前記のようにして嵌合した引掛け係止部４の傾斜状係止部４ｃは、前記した他の端縁部５に形成のストッパー部９が膨出されていることによって、容易に離脱しない。
【００５３】
以上、実施例を図面に基づいて説明したが、本考案は、図示例の限りではなく、その技術的思想を逸脱しない範囲において、当業者が通常に行う設計変更、応用のバリエーションの範囲を含むことを念のために言及する。
【符号の説明】
【００５４】
ａ      嵌合式内装パネル材
ｂ      断熱材
Ｐ      嵌合凹部
１      板体
２      端縁部
３      裏面部
４      引掛け係止部
４ａ    垂直状係止部
４ｂ    端部
４ｃ    傾斜状係止部
４ｄ    補強折曲部
５      端縁部
６      第１側端部
７      第１水平状部
８      立上り部
９      ストッパー部
１０    第１水平状部
１１    第２側端部
１２    第２水平状部
１３    補強部
１４    縦胴縁
１５    石膏ボード
１６    石膏ボード
１７    入隅役物
１８    出隅役物
１９    キャップ受け
２０    キャップ
２１    止め具
【図１】
0003217046.tif 000003
【図２】
0003217046.tif 000004
【図３】
0003217046.tif 000005
【図４】
0003217046.tif 000006
【図５】
0003217046.tif 000007
【図６】
0003217046.tif 000008
【図７】
0003217046.tif 000009
【図８】
0003217046.tif 000010
【図９】
0003217046.tif 000011
【図１０】
0003217046.tif 000012
【図１１】
0003217046.tif 000013
【手続補正書】
【提出日】平成30年5月18日(2018.5.18)
【手続補正１】
【補正対象書類名】明細書
【補正対象項目名】全文
【補正方法】変更
【補正の内容】
【考案の詳細な説明】
【技術分野】
【０００１】
本考案は、抗菌鋼板製にして且つ食品工場内の内装パネル材として使用される嵌合式内装パネル材の技術分野に関するものである。
【背景技術】
【０００２】
従来、嵌合式内装パネル材として、パネル材の連結構造に関する下記特許文献１（特開２０００−２６５６４４公報）が公知である。
【０００３】
特許文献１にかかるパネル材の連結構造のパネル材は、同文献１に記載の符号を援用すると、パネル材１１を構成するパネル材１１の一方向の対向する辺を裏面方向に折曲した各側端片１３と、各側端片１３、１３の先端を外方向に折曲して同一の背面をなす等幅の各固定片１５、１５と、各固定片１５、１５の何れか一方の先端を側端片１３と平行となるように折曲した移動規制片１９とを具備したパネル材１１が形成されている。
【０００４】
そして、前記パネル材１１は、パネル材１１を複数隣接し、側端片１３と移動規制片１９との間に他のパネル材１１の固定片１５を挿入して、移動規制片１９に他のパネル材１１の側端片１３を重ね合わせるとともに、それぞれの固定片１５を重ね合せ、固定片１５、１５同士を共に下地面１７ａに固定する組立て方式である。
【０００５】
また、特許文献１に記載されているパネル材は、重ね合わされて形成の目地部２５に対し、別設する装着部材２７を嵌挿せしめ、嵌挿せしめた目地部２５を別設する固定部材３１を介して螺着し、且つ別設する目地カバー２９（図２、３参照）を装着せしめ組立て施工すると云う複数の部材を介し、且つ丁寧な連結構造をしている。
【先行技術文献】
【特許文献】
【０００６】
【特許文献１】特開２０００−２６５６４４公報
【考案の概要】
【考案が解決しようとする課題】
【０００７】
前記した特許文献１に記載のパネル材の連結構造をしたパネル材は、パネル材を複数隣接し、各パネル材の側端片１３と移動規制片１９との間に、他のパネル材１１の側端片１３を重ね合せ、夫々のパネル材１１の固定片１５を重ね合わせ、各固定片１５、１５を共に下地面１７ａに固定するものであって、複数枚のパネル材１１を連続して取付ける手段として重ね合せられて形成せしめられた凹溝状の目地部２５内に、弾性を有した装着部材２７を釘状の固定部材３１を打ち込んで前記した隣接のパネル材１１を固定し、前記装着部材２７を目地カバー２９にて覆うように施工せしめたことを特長とする発明である。
【０００８】
従って、そのパネル材の連結構造をしたパネル材１１は、施工時において多数の構成部材を必要とし、さらに施工するのに多数の施工工程を必要とし、そのため施工工事費が昂騰せざるを得ないという問題がある。
【０００９】
しかるに、本考案の抗菌鋼板製の嵌合式内装パネル材は、パネル材を構成する板体の一側方の端縁部に折曲状の引掛け係止部を形成せしめ、且つ前記板体１の他側方の端縁部に、折曲し形成せしめた第１側端部と、第１水平状部と、立上り部と、前記一側方の端縁部に形成の引掛け係止部を係止せしめる膨出するストッパー部と、さらに第１水平状部と、且つ第２側端部と、第２水平状部を順次折曲せしめ延設する構造とし、以上のように構成の嵌合式パネルを並列状に隣接せしめると共に、隣接し合う嵌合式内装パネル材を重ね合せると、前記パネル材の一側方の端縁部が、並列状に隣接する他側方の端縁部に形成せしめられている第１側端部と第１水平状部と立上り部とストッパー部との間に形成せしめられた嵌挿凹部Ｐ内に、隣接する内装パネル材の引掛け係止部４が嵌合し、嵌合すると膨出状のストッパー部９によって引掛り係止し容易に離脱が阻止される構造として、隣接する各パネルを固定材を打込んだりすることなく嵌合施工が極めて簡単且つ迅速にて行うことができるようにして課題を解決した。
【００１０】
また、本考案は、前述した各内装パネル材の一側方の端縁部に折曲形成せしめる引掛け係止部と、他側方の端縁部に折曲形成せしめる前記した各構成部を構成することによって、並列する各内装パネル材同士が嵌合施工せしめ、嵌合施工によって工事費を著しく節減ができるようにした。
【課題を解決するための手段】
【００１１】
上記課題を解決するための手段として、請求項１に記載の考案は、抗菌鋼板製の嵌合式内装パネル材ａにおいて、
前記パネル材ａを構成する板体１の一側方の端縁部２を、前記板体１の裏面部３方向に所定の角度で折曲する垂直状係止部４ａと傾斜状係止部４ｃからなる引掛け係止部４を形成せしめ、
前記パネル材ａの他側方の端縁部５を、前記板体１の裏面部３方向に所定の角度で折曲せしめて第１側端部６を、前記第１側端部６の端部を前記板体１と平行に折曲せしめて第１水平状部７を夫々延設し、且つ前記第１水平状部７の端部を上方向に折曲して立上り部８を、前記立上り部８の上方部を前記第１側端部６の方向に折曲せしめて傾斜し且つ膨出するストッパー部９を、前記ストッパー部９の端縁部を外側方向に折曲して前記板体１の高さと同一の第１水平状部１０を、前記第１水平状部１０の端縁部を下方向に折曲せしめて前記第１側端部６と平行状の第２側端部１１を、前記第２側端部１１の端縁部を折曲延設せしめて前記第１水平状部１０と平行する第２水平状部１２を折曲延設せしめ、前記第２水平状部１２の端部を上方向に折曲延設して補強部１３を夫々形成せしめて成ることを特徴とする嵌合式内装パネル材である。
【００１２】
請求項２に記載の考案は、前記引掛け係止部４が、前記板体１の端縁部２を、下方に垂直状に折曲せしめて垂直状係止部４ａを、前記垂直状係止部４ａの端部４ｂを前記板体１の裏面部３方向に傾斜状に折曲して傾斜状係止部４ｃを形成せしめて成ることを特徴とする請求項１に記載の嵌合式内装パネル材である。  
【００１３】
請求項３に記載の考案は、前記引掛け係止部４の垂直状係止部４ａの長さを、前記第１側端部６の長さと同一で折曲形成せしめられていることを特徴とする請求項１又は２に記載の嵌合式内装パネル材である。
【００１４】
請求項４に記載の考案は、前記引掛け係止部４の傾斜状係止部４ｃの端縁部が、折曲されて補強折曲部４ｄを形成せしめて成ることを特徴とする請求項１又は２又は３に記載の嵌合式内装パネル材である。
【００１５】
請求項５に記載の考案は、前記垂直状係止部４ａと前記傾斜状係止部４ｃとからなる引掛け係止部４は、前記第１側端部６と前記第１水平状部７と前記立上り部８と前記ストッパー部９とからなる嵌挿凹部Ｐ内に嵌合すると、前記引掛け係止部４を構成する傾斜状係止部４ｃが、前記ストッパー部９によって係止せしめられ離脱できない形状にて形成せしめられていることを特徴とする請求項１又は２又は３又は４に記載の嵌合式内装パネル材である。
【００１６】
請求項６に記載の考案は、前記パネル材ａを構成する板体１が、前記一側方の端縁部２及び他側方の端縁部５と平行の細波形状にて形成せしめられていることを特徴とする請求項１又は２又は３又は４又は５に記載の嵌合式内装パネル材である。
【考案の効果】
【００１７】
本考案の嵌合式内装パネル材は、パネル材を構成する板体の一側方の端縁部を、前記板体の裏面部方向に所定の角度で折曲する垂直状係止部と傾斜状係止部からなる引掛け係止部を形成せしめ、前記パネル材の他側方の端縁部を、前記板体の裏面部方向に所定の角度で折曲せしめて第１側端部を、前記第１側端部の端部を前記板体と平行に折曲せしめて第１水平状部を夫々延設し、且つ前記第１水平状部の端部を上方向に折曲して立上り部を、前記立上り部の上方部を前記第１側端部の方向に折曲せしめて傾斜し且つ膨出するストッパー部を、前記ストッパー部の端縁部を外側方向に折曲して前記板体の高さと同一の第１水平状部を、前記第１水平状部の端縁部を下方向に折曲せしめて前記第１側端部と平行状の第２側端部を、前記第２側端部の端縁部を折曲延設せしめて前記第１水平状部と平行する第２水平状部を折曲延設せしめ、前記第２水平状部の端部を上方向に折曲延設して補強部を夫々形成せしめる嵌合式内装パネル材なので、前記嵌合式内装パネル材が、食品工場内の間仕切り壁の内装材として並列状に隣接せしめられると、各内装パネル材の一側方の端縁部に形成の引掛け係止部が、並列状に隣接する別設の内装パネル材の他側方の端縁部に折曲形成せしめられた嵌め込み部内に確実且つ容易に嵌合し、離脱することがない利点がある。
【００１８】
また、各パネル材の両側方の端縁部に折曲せしめられた引掛け係止部と嵌め込み部とを嵌合するだけの接続施工方式なので、嵌合部分を被覆するための構成部材を全く必要とせず、そのため食品工場内の間仕切り壁の施工工事費を著しく節減できる。
【００１９】
さらに、一旦嵌合せしめられると、嵌合部分が水密性に優れ、且つ嵌合部分の目地に埃や虫類が侵入することなく、水切れの点も極めて良好にして、施工も極めて簡単且つ迅速に施工ができ、さらに施工工事費を従来のものに対し著しく節減できる利点がある。
【００２０】
加えて、考案の前記のように施工された嵌合式内装パネル材は、水洗いも極めて容易のため、水洗い作業が迅速に処理できるし、スケッチサイズで対応可能な優れた利点を多数併有している。
【図面の簡単な説明】
【００２１】
【図１】本考案の嵌合式内装パネル材を重ね合せ嵌合せしめた嵌合式内装パネル材の斜視図である。
【００２２】
【図２】同嵌合式内装パネル材の正面図である。
【００２３】
【図３】同嵌合式内装パネル材を重ね合せ嵌合せしめた状態の一部切欠正面図である。
【００２４】
【図４】同図３における各嵌合式内装パネル材の各端部を重ね合せ嵌合せしめた際の一部切欠拡大正面図である。
【００２５】
【図５】同嵌合式内装パネル材を構成する一側端部の一部切欠拡大正面図である。
【００２６】
【図６】同本考案の第２実施例の嵌合式内装パネル材を重ね合せ嵌合せしめた斜視図である。
【００２７】
【図７】図６における単体の嵌合式内装パネル材の正面図である。
【００２８】
【図８】本考案の嵌合式内装パネル材を間仕切り壁として施工せしめた食品工場内の一部切欠横断面図である。
【００２９】
【図９】本考案の嵌合式内装パネル材が施工せしめられた図８の間仕切り壁の一部切欠斜視図である。
【考案を実施するための最良の形態】
【００３０】
本考案における請求項１〜６に記載の考案の実施の形態は、共通しているので一括して説明する。
【００３１】
図において、符号ａは、抗菌鋼板製の嵌合式内装パネル材（以下「内装パネル材」と云う。）を示しており、以下の構成からなっている。
【００３２】
＜第１実施例＞
第１実施例の内装パネル材ａにつき説明する。
【００３３】
図１、２、３、４、５に示すとおり、前記内装パネル材ａを構成する板体１の一側方の端縁部２は、前記端縁部２を前記板体１の裏面部３方向に直角状に所定の長さだけ折曲して垂直状係止部４ａを形成し、さらに前記垂直状係止部４ａの端部４ｂを、前記板体１の裏面部３の方向に所定の角度、例えば４５度傾斜状に折曲延設せしめて傾斜状係止部４ｃを形成せしめる。
【００３４】
そして、前記傾斜状係止部４ｃの端縁部を前記傾斜状係止部４ｃの内側面に折曲して密着する補強折曲部４ｄを形成する。
【００３５】
以上が引掛け係止部４の構成である。
【００３６】
つぎに、本考案の内装パネル材ａは、前記内装パネル材ａの他側方の端縁部を、前記板体１の裏面部３方向に所定の角度、例えば直角状に折曲せしめて第１側端部６を、前記第１側端部６の端部を前記板体１と平行に折曲せしめて第１水平状部７を夫々延設する。そして前記第１水平状部７の端部を上方向に折曲して立上り部８を、前記立上り部８の上方部を前記第１側端部６の方向に折曲せしめて傾斜し且つ膨出するストッパー部９を形成する。さらに前記ストッパー部９の端縁部を外側方向に折曲して前記板体１の高さと同一の第１水平状部１０を、前記第１水平状部１０の端縁部を下方向に折曲せしめて前記第１側端部６と平行状の第２側端部１１を形成する。また前記第２側端部１１の端縁部を折曲延設せしめて前記第１水平状部１０と平行する第２水平状部１２を折曲延設せしめ、前記第２水平状部１２の端部を上方向に折曲延設して補強部１３を夫々形成せしめる。
【００３７】
前記引掛け係止部４の垂直状係止部４ａの長さは、前記第１側端部６の長さと同一長さにて折曲形成せしめられている。
【００３８】
さらに、前記垂直状係止部４ａと前記傾斜状係止部４ｃとからなる引掛け係止部４は、前記第１側端部６と前記第１水平状部７と前記立上り部８と前記ストッパー部９とからなる嵌挿凹部Ｐ内に嵌合すると、前記引掛け係止部４を構成する傾斜状係止部４ｃが、前記ストッパー部９によって係止せしめられ離脱できない形状にて形成せしめられている。
【００３９】
＜第２実施例＞
本考案における第２実施例の内装パネル材ａは、図６及び図７に図示されているとおり、前記内装パネル材ａを構成する板体１が、前記一側方の端縁部２及び他側方の端縁部５と平行の細波形状にて形成せしめられている。
【００４０】
そして、前記第２実施例の内装パネル材ａの細波形状の凹状部と凸状部は、交互に連続して形成せしめられているが、これら凹状部及び凸状部の形状は、図面図示の形状に限定しない。
【００４１】
さらに第２実施例の内装パネル材ａと前記した第１実施例の内装パネル材ａとの構造上の相違点は、板体１が平面状か、凹状部と凸状部が交互に連続して形成されている、いわゆる細波形状かであって、各内装パネル材ａを構成する一側方の端縁部２と他側方の端縁部５の構造は、全く同じである。
【００４２】
従って、第２実施例の内装パネル材ａの両側端縁部２、５に関する具体的説明は省略した。
【００４３】
＜第１実施例の内装パネル材ａの組立て状態に関する説明（図８）＞
図８は、内装パネル材ａを間仕切り壁として使用した際の一部切欠拡大横断面を示すものである。
【００４４】
同図８において、符号１４は、本考案の内装パネル材ａが、例えば食品工場内の間仕切り壁として使用される縦胴縁を示している。符号１５、１６は石膏ボード、１７は入隅役物、１８は出隅役物、１９はキャップ受け、２０はキャップ、ｂは内装パネル材ａと前記石膏ボード１５、１６との間に介在し使用されている断熱材である。２１は前記縦胴縁１４に対し前記入隅役物１７、出隅役物１８及び内装パネル材ａ等を固着せしめるための止め具である。
【００４５】
＜内装パネル材の嵌合方法＞
本考案の嵌合式内装パネル材ａが、食品工場内の所定位置に間仕切り壁の内装パネル材ａとして施工するには以下のようにして実施される。
【００４６】
その実施の一例として、図８に図示されているように、前記内装パネル材ａを嵌合し接続施工する前に、前記縦胴縁１４を強固に固着せしめ、該縦胴縁１４に石膏ボード１５、１６及び入隅役物１７、出隅役物１８、キャップ受け１９を止め具２１を打ち込んで、前記した石膏ボード１５、１６、入隅役物１７、出隅役物１８及びキャップ受け１９を固定する。
【００４７】
上述の如く、前記止め具２１によって固着せしめられた前記石膏ボード１５、１６の表面部に前記内装パネル材ａを前記内装パネル材ａの裏面部に所定の寸法に裁断せしめられた断熱材ｂを介在せしめ、且つ止め具２１を、前記内装パネル材ａの他側方の端縁部５に折曲し形成せしめられた第２水平状部１２から、前記縦胴縁１４に対し打込み、前記内装パネル材ａを前記止め具２１により固着する。
【００４８】
前記のようにして、前記入隅役物１７もしくは出隅役物１８と隣接して並列せしめた前記内装パネル材ａを固着する。
【００４９】
つぎに、前記のようにして固着せしめられた前記内装パネル材ａに対し、別設の内装パネル材ａを重ね合せ嵌合すると、前記内装パネル材ａの一側方の端縁部２に折曲形成する引掛け係止部４の傾斜状係止部４ｃが、前記内装パネル材ａの他側方の端縁部５に折曲して形成せしめられている嵌挿凹部Ｐ内に嵌合する。そして前記傾斜状係止部４ｃが、膨出しているストッパー部９に引掛り係止した状態で容易に離脱することなく、確実に嵌合される（図１、３、４、６、８）。
【００５０】
従って、前記のようにして嵌合した引掛け係止部４の傾斜状係止部４ｃは、前記した他の端縁部５に形成のストッパー部９が膨出されていることによって、容易に離脱しない。
【００５１】
以上、実施例を図面に基づいて説明したが、本考案は、図示例の限りではなく、その技術的思想を逸脱しない範囲において、当業者が通常に行う設計変更、応用のバリエーションの範囲を含むことを念のために言及する。
【符号の説明】
【００５２】
ａ      嵌合式内装パネル材
ｂ      断熱材
Ｐ      嵌合凹部
１      板体
２      端縁部
３      裏面部
４      引掛け係止部
４ａ    垂直状係止部
４ｂ    端部
４ｃ    傾斜状係止部
４ｄ    補強折曲部
５      端縁部
６      第１側端部
７      第１水平状部
８      立上り部
９      ストッパー部
１０    第１水平状部
１１    第２側端部
１２    第２水平状部
１３    補強部
１４    縦胴縁
１５    石膏ボード
１６    石膏ボード
１７    入隅役物
１８    出隅役物
１９    キャップ受け
２０    キャップ
２１    止め具
【手続補正２】
【補正対象書類名】図面
【補正対象項目名】全図
【補正方法】変更
【補正の内容】
【図１】
0003217046.tif 000014
【図２】
0003217046.tif 000015
【図３】
0003217046.tif 000016
【図４】
0003217046.tif 000017
【図５】
0003217046.tif 000018
【図６】
0003217046.tif 000019
【図７】
0003217046.tif 000020
【図８】
0003217046.tif 000021
【図９】
0003217046.tif 000022